(57)【要約】【課題】圧縮された弾性鞘体に押圧されたときにも採血管が脱落することのない採血管ホルダーを提供する。【解決手段】採血管ホルダー１は、採血管ホルダー本体１１と保持部材１２とを備える。採血管ホルダー本体１１は、針基１５に支持された針管１７と、針管１７を被覆する弾性鞘体１８とを備え、保持部材１２は、嵌合部材２１と、圧接部材２２とを備える。採血管ホルダー本体１１は、嵌合部材２１を収容する第１の凹部１１ｈと、揺動した圧接部材２２を収容する第２の凹部１１ｉとの少なくともいずれか一方を備える。【選択図】図１０
2020203071.tif 000002
【特許請求の範囲】
【請求項１】
中空有底筒状の採血管ホルダー本体と、該採血管ホルダー本体の内周面に内嵌されて該採血管ホルダー本体の中空部に挿入される採血管を着脱自在に保持する保持部材とを備え、
該採血管ホルダー本体は、底部に設けられた針基と、該針基に支持されて該採血管ホルダー本体の中空部に突出する中空の針管と、該針管をその全長に亘って被覆する弾性鞘体とを備え、
該保持部材は、該採血管ホルダー本体の内周面に内嵌される中空筒状の嵌合部材と、該嵌合部材から該採血管ホルダー本体の中空部に突出し、該採血管ホルダー本体の中空部に該採血管が挿入されたときに該採血管ホルダー本体の内周面側に揺動する一方、それ自体の弾性力により該採血管の外周面に圧接する複数の圧接部材とを備える採血管ホルダーにおいて、
該採血管ホルダー本体は、該嵌合部材の少なくとも一部を収容する第１の凹部と、該採血管ホルダー本体の内周面側に揺動した該圧接部材の少なくとも一部を収容する第２の凹部との少なくともいずれか一方を該採血管ホルダー本体の内周面に備えることを特徴とする採血管ホルダー。
【請求項２】
請求項１記載の採血管ホルダーにおいて、
前記第２の凹部は、前記第１の凹部から前記採血管ホルダー本体の軸方向に沿って前記底部側に向けて延在する溝状に構成されることを特徴とする採血管ホルダー。
【請求項３】
請求項１又は２記載の採血管ホルダーにおいて、
前記第１の凹部は、前記嵌合部材の内周面が隣接する前記採血管ホルダー本体の内周面と面一となるように構成されることを特徴とする採血管ホルダー。
【請求項４】
請求項１から３までのいずれか１項記載の採血管ホルダーにおいて、
前記圧接部材は、前記嵌合部材から前記採血管ホルダー本体の中空部の中心軸側に突出する腕状部と、該腕状部の先端部から該採血管ホルダー本体の内周面側に屈曲する屈曲部と、該嵌合部材と該腕状部を接続する第１の補強片及び該腕状部と該屈曲部を接続する第２の補強片の少なくともいずれか一方とを備えることを特徴とする採血管ホルダー。
【請求項５】
請求項１から３までのいずれか１項記載の採血管ホルダーにおいて、
前記採血管ホルダー本体は、該採血管ホルダー本体の中空部に挿入された前記採血管の外周面に当接する複数の当接部を該採血管ホルダー本体の内周面に備えることを特徴とする採血管ホルダー。
【請求項６】
請求項５記載の採血管ホルダーにおいて、
前記複数の当接部のうち少なくとも一部は、前記採血管ホルダー本体の中空部に挿入された前記採血管の備えるフランジ状部に係止して該採血管の脱落を防止する係止部を備えることを特徴とする採血管ホルダー。
【請求項７】
請求項１から５までのいずれか１項記載の採血管ホルダーにおいて、
前記圧接部材は、前記採血管ホルダー本体の中空部に挿入された前記採血管の備えるフランジ状部に係止して該採血管の脱落を防止する係止部を備えることを特徴とする採血管ホルダー。
【請求項８】
請求項１から７までのいずれか１項記載の採血管ホルダーにおいて、
前記採血管ホルダー本体は、シリンジと前記針管が連通するように該シリンジに接続可能なコネクタを備えることを特徴とする採血管ホルダー。
【請求項９】
請求項１から８までのいずれか１項記載の採血管ホルダーと、
血管に穿刺される採血針管及び該採血針管と前記針管が連通するように前記採血管ホルダー本体に接続可能なホルダー側コネクタを備える採血具と、を備えることを特徴とする採血キット。
【請求項１０】
請求項１から８までのいずれか１項記載の採血管ホルダーと、
シリンジに接続可能なシリンジ側コネクタ及び該シリンジ側コネクタに接続された該シリンジと前記針管が連通するように前記採血管ホルダー本体に接続可能なホルダー側コネクタを備える接続具と、を備えることを特徴とする採血キット。
【発明の詳細な説明】
【技術分野】
【０００１】
本発明は、採血管ホルダー及び採血キットに関する。
【背景技術】
【０００２】
従来、血液検査等で血液試料を採取する際には、採血キットが使用される。採血キットは、血管に穿刺される針管を備えるいわゆる翼状針（翼付針）等の採血具で生体から採血し、この採血した血液試料を採血管ホルダーに保持される真空採血管に貯留するものであり、採血具と、コネクタを介して該採血具に接続され、真空採血管を保持する採血管ホルダーとを備える。
【０００３】
前記採血管ホルダーとして、例えば、中空有底円筒状の採血管ホルダー本体と、該採血管ホルダー本体の内周面に内嵌されて該採血管ホルダー本体の中空部に挿入されるシリンジ等の採血管を着脱自在に保持する保持部材とを備えるものが知られている（例えば、特許文献１参照）。
【０００４】
特許文献１記載の採血管ホルダーは、前記採血管ホルダー本体の底部に取着された針基に支持されて該採血管ホルダー本体の中空部に突出する中空の針管を備えており、該採血管ホルダー本体の中空部に前記シリンジ等の採血管が挿入されると該針管が採血管を貫通し、採血した血液試料が該針管を介して該採血管に導入される。また、特許文献１記載の採血管ホルダーにおいて、前記保持部材は複数の圧接部材を備えており、該圧接部材は、前記採血管ホルダー本体の中空部に前記シリンジ等の採血管が挿入されたときに該採血管ホルダー本体の内周面側に揺動する一方、それ自体の弾性力により該採血管の外周面に圧接する。この結果、前記採血管ホルダーは、採血した血液試料が前記採血管に導入される間、前記採血管の外周面に圧接する前記圧接部材により該採血管を保持し、前記採血管ホルダー本体の中空部から該採血管が脱落することを防止することができる。
【先行技術文献】
【特許文献】
【０００５】
【特許文献１】特開平５−３００８９９号公報
【発明の概要】
【発明が解決しようとする課題】
【０００６】
しかしながら、特許文献１記載の採血管ホルダーは、前記採血管ホルダー本体の中空部に前記採血管を挿入すると、前記針管を被覆する弾性鞘体が該採血管の先端部に押圧されて圧縮され、それ自体の弾性により原状に復帰しようとするときに、該採血管が該弾性鞘体に押圧されて該採血管ホルダー本体から脱落する虞があるという不都合がある。
【０００７】
本発明は、かかる不都合を解消して、圧縮された前記弾性鞘体に押圧されたときにも前記採血管が脱落することのない採血管ホルダーを提供することを目的とする。
【課題を解決するための手段】
【０００８】
かかる目的を達成するために、本発明の採血管ホルダーは、中空有底筒状の採血管ホルダー本体と、該採血管ホルダー本体の内周面に内嵌されて該採血管ホルダー本体の中空部に挿入される採血管を着脱自在に保持する保持部材とを備え、該採血管ホルダー本体は、底部に設けられた針基と、該針基に支持されて該採血管ホルダー本体の中空部に突出する中空の針管と、該針管をその全長に亘って被覆する弾性鞘体とを備え、該保持部材は、該採血管ホルダー本体の内周面に内嵌される中空筒状の嵌合部材と、該嵌合部材から該採血管ホルダー本体の中空部に突出し、該採血管ホルダー本体の中空部に該採血管が挿入されたときに該採血管ホルダー本体の内周面側に揺動する一方、それ自体の弾性力により該採血管の外周面に圧接する複数の圧接部材とを備える採血管ホルダーにおいて、該採血管ホルダー本体は、該嵌合部材の少なくとも一部を収容する第１の凹部と、該採血管ホルダー本体の内周面側に揺動した該圧接部材の少なくとも一部を収容する第２の凹部との少なくともいずれか一方を該採血管ホルダー本体の内周面に備えることを特徴とする。
【０００９】
また、本発明の採血キットは、本発明の採血管ホルダーと、血管に穿刺される採血針管及び該採血針管と前記針管が連通するように前記採血管ホルダー本体に接続可能なホルダー側コネクタを備える採血具と、を備えることを特徴とする。
【００１０】
本発明の採血管ホルダー及び採血キットによれば、前記採血管が前記採血管ホルダー本体の中空部に挿入されると、前記保持部材の前記嵌合部材から該採血管ホルダー本体の中空部に突出する複数の圧接部材が、該採血管に押圧されて該採血管ホルダー本体の内周面側に揺動する。このとき、前記圧接部材は、前記のように揺動されるとそれ自体の弾性力により原状に復帰しようとし、前記採血管の外周面に圧接して該採血管を保持することができる。
【００１１】
一方、前記採血管が前記採血管ホルダー本体の中空部に挿入されると、該採血管の先端部により前記弾性鞘体が押圧され、前記針管が該弾性鞘体を貫通して該採血管内に挿入される一方、該弾性鞘体は、該採血管ホルダー本体の底部と該採血管の先端部との間に圧縮される。圧縮された前記弾性鞘体は、それ自体の弾性力により原状に復帰しようとし、前記採血管を後方（開口側）に押圧する。
【００１２】
本発明の採血管ホルダー及び採血キットでは、前記採血管ホルダー本体は、前記嵌合部材の少なくとも一部を収容する第１の凹部と、該採血管ホルダー本体の内周面側に揺動した前記圧接部材の少なくとも一部を収容する第２の凹部との少なくともいずれか一方を備えるため、前記保持部材の厚みや形状の設計の自由度が高く、該圧接部材の弾性力を従来よりも大きくすることができる。この結果、前記圧接部材は、それ自体の弾性力のみで、より強い力で該採血管を保持することができ、該採血管が圧縮された前記弾性鞘体に押圧されたときにも該採血管が脱落することを防止することができる。
【００１３】
また、本発明の採血管ホルダーにおいて、前記第２の凹部は、前記第１の凹部から前記採血管ホルダー本体の軸方向に沿って前記底部側に向けて延在する溝状に構成されることが好ましい。前記第２の凹部をこのように構成することで、前記採血管の挿入によって揺動する際に大きなモーメントが加わる前記圧接部材の基端側の部分およびこれを支持する前記嵌合部の設計の自由度がより高くなるため、該圧接部材の弾性力をより大きくし、該採血管の脱落をより確実に防止することができる。
【００１４】
また、本発明の採血管ホルダーにおいて、前記第１の凹部は、前記嵌合部材の内周面が隣接する前記採血管ホルダー本体の内周面と面一となるように構成されることが好ましい。これによれば、前記採血管の挿抜時にこれらの外周面に貼付されたラベル等が前記嵌合部材の内周面とこれに隣接する前記採血管ホルダー本体の内周面の段差に引っ掛かって剥がれたり破損したりするのを防止することができる。
【００１５】
ところで、前記採血管の直径の大きさによっては、前記保持部材が原状に復帰しようとする弾性力が十分に得られず、前記採血管の外周面に対する圧接が不十分になることがある。
【００１６】
そこで、本発明の採血管ホルダーにおいて、前記圧接部材は、前記嵌合部材から該採血管ホルダー本体の中空部の中心軸側に突出する腕状部と、該腕状部の先端部から該採血管ホルダー本体の内周面側に屈曲する屈曲部と、該嵌合部材と該腕状部を接続する第１の補強片及び該腕状部と該屈曲部を接続する第２の補強片の少なくともいずれか一方とを備えることが好ましい。
【００１７】
本発明の採血管ホルダーは、前記圧接部材が、前記第１の補強片又は第２の補強片を備えることにより、前記採血管の直径が小さいときにも、原状に復帰しようとする弾性力を十分に得ることができ、前記採血管の外周面に対して確実に圧接して、該採血管を保持することができる。
【００１８】
また、本発明の採血管ホルダーにおいて、前記採血管ホルダー本体は、該採血管ホルダー本体の中空部に挿入された前記採血管の外周面に当接する複数の当接部を該採血管ホルダー本体の内周面に備えることが好ましい。これによれば、前記採血管が前記採血管ホルダー本体に対して傾くのを防止し、前記針管を該採血管に適切に貫通させると共に、該採血管を安定的に保持することができる。
【００１９】
また、本発明の採血管ホルダーにおいて、前記複数の当接部のうち少なくとも一部は、前記採血管ホルダー本体の中空部に挿入された前記採血管の備えるフランジ状部に係止して該採血管の脱落を防止する係止部を備えることが好ましい。これによれば、前記採血管が圧縮された前記弾性鞘体に押圧されたときにも、該係止部が該フランジ状部に係止することで、より確実に該採血管の脱落を防止することができる。
【００２０】
また、本発明の採血管ホルダーにおいて、前記圧接部材は、前記採血管ホルダー本体の中空部に挿入された前記採血管の備えるフランジ状部に係止して該採血管の脱落を防止する係止部を備えることが好ましい。これによれば、前記採血管が圧縮された前記弾性鞘体に押圧されたときにも、該係止部が該フランジ状部に係止することで、より確実に該採血管の脱落を防止することができる。
【００２１】
また、本発明の採血管ホルダーにおいて、前記採血管ホルダー本体は、シリンジと前記針管が連通するように該シリンジに接続可能なコネクタを備えるものであってもよい。これによれば、該シリンジで採血した血液試料を前記採血管に分注する際に、該シリンジに接続された採血針管を該採血管に貫通させる必要がなくなるため、分注の際の針刺しリスクを低減し、安全に分注を行うことができる。
【００２２】
また、本発明の採血キットは、本発明の採血管ホルダーと、シリンジに接続可能なシリンジ側コネクタ及び該シリンジ側コネクタに接続された該シリンジと前記針管が連通するように前記採血管ホルダー本体に接続可能なホルダー側コネクタを備える接続具と、を備えるものであってもよい。これによれば、該シリンジで採血した血液試料を前記採血管に分注する際に、該シリンジに接続された採血針管を該採血管に貫通させる必要がなくなるため、分注の際の針刺しリスクを低減し、安全に分注を行うことができる。
【図面の簡単な説明】
【００２３】
【図１】本発明の採血管ホルダー及び採血キットの一構成例を示す説明図。
【図２】図１に示す構成例の保持部材を示す斜視図。
【図３】図１に示す構成例の採血管ホルダーに第１の採血管を挿入した状態を示す説明的断面図。
【図４】図１に示す構成例の採血管ホルダーに第２の採血管を挿入した状態を示す説明的断面図。
【図５】図１に示す構成例の採血管ホルダーに第３の採血管を挿入した状態を示す説明的断面図。
【図６】本発明の採血管ホルダー及び採血キットの他の構成例を示す説明図。
【図７】図６に示す構成例の採血管ホルダー本体を示す説明的断面図。
【図８】図６に示す構成例の保持部材を示す説明的断面図。
【図９】Ａ図６に示す構成例の第１の当接部を拡大して示す説明的断面図。Ｂ図６に示す構成例の第２の当接部を拡大して示す説明的断面図。
【図１０】本発明の採血管ホルダー及び採血キットの他の構成例を示す説明図。
【図１１】本発明の採血管ホルダーの他の構成例を示す説明図。
【図１２】本発明の採血キットの他の構成例を示す説明図。
【発明を実施するための形態】
【００２４】
次に、添付の図面を参照しながら本発明の実施の形態についてさらに詳しく説明する。
【００２５】
図１に示すように、本実施形態の採血管ホルダー１は、採血キット２の構成の一部であり、採血キット２により採血された血液試料を貯留する真空採血管（図示せず）を保持するために用いられ、中空有底円筒状の採血管ホルダー本体１１と、真空採血管を着脱自在に保持する保持部材１２とを備える。
【００２６】
本実施形態の採血キット２は、採血管ホルダー１と、血管に穿刺された状態で生体に固定される採血具５とを備える。採血具５は、鋭利な先端を備えて血管に穿刺される中空の採血針管５１と、採血針管５１の基端部に接続される可撓性チューブ５２と、可撓性チューブ５２の基端部に接続されるメスコネクタ５３（本発明のホルダー側コネクタ）とを備える。
【００２７】
本実施形態では、採血針管５１は、可撓性チューブ５２の先端部が接続されたハブ５４に支持されており、このハブ５４には、血管から採血針管５１を抜去した後に先端側に向けてスライドさせることで採血針管５１の先端を覆う筒状のプロテクタ５５が取り付けられている。そして、プロテクタ５５には、生体の皮膚等に安定的に固定するための翼状部材５６が固定されている。すなわち、本実施形態の採血具５は、例えば本出願人に係る特開２０１７−１９６０６０号公報に開示されたプロテクタ付き医療用針等の翼状針（翼付き針）から構成されている。
【００２８】
採血管ホルダー本体１１は、底部１３の中央部から先端側に向けて突出する突出部１４と、突出部１４に螺着された針基１５とを備える。針基１５は、採血管ホルダー本体１１の中空部１６に突出する先端が鋭利な中空の針管１７を支持し、針管１７をその全長に亘って被覆する弾性鞘体としてのゴムスリーブ１８を備える一方、先端側には針管１７に連通する中空部１９を備えている。また、針基１５の先端部には、オスコネクタ１５ａが設けられている。
【００２９】
また、採血管ホルダー本体１１は、底部１３から採血管ホルダー本体１１の中空部１６に突出する複数の舌状突出片２０を備えている。本実施形態において、舌状突出片２０は、底部１３の周方向において等間隔で４箇所に備えられている。なお、本実施形態の採血管ホルダー本体１１は、針管１７及びゴムスリーブ１８以外の部分が合成樹脂（ポリプロピレン）から構成されている。そして、針管１７は、金属（ステンレス鋼）から構成され、ゴムスリーブは、合成ゴム（イソプレンゴム）から構成されている。
【００３０】
採血管ホルダー本体１１は、針基１５のオスコネクタ１５ａがメスコネクタ５３に嵌合することにより採血具５と接続することができ、このとき針基１５の中空部１９を介して、可撓性チューブ５２と針管１７とが連通し、この結果、採血針管５１と針管１７とが連通する。針基１５のオスコネクタ１５ａとメスコネクタ５３との嵌合は、例えばルアーテーパーにより行うことができる。本実施形態では、針基１５のオスコネクタ１５ａをメスコネクタ５３内に挿入することで、オスコネクタ１５ａの外周面のオスルアーテーパーがメスコネクタ５３の内周面のメスルアーテーパーと嵌合するようになっている。
【００３１】
採血管ホルダー本体１１の外周面には、軸方向に連続する（延在する）複数の滑り止めリブ１１ａが設けられると共に、開口側の端部（基端部）にフランジ１１ｂが設けられている。また、採血管ホルダー本体１１の底部１３の外側面（先端側面）の周縁部には先端側に向けて突出する周壁１１ｃが設けられている。本実施形態では、中空部１６の軸方向寸法を短縮して真空採血管（図示せず）の片手での挿抜（挿入及び抜去）を容易にする一方、周壁１１ｃを設けることで採血管ホルダー本体１１の外周面を軸方向に延長して把持性を向上させている。
【００３２】
保持部材１２は、採血管ホルダー本体１１の内周面に内嵌される中空円筒状の嵌合部材２１と、嵌合部材２１から採血管ホルダー本体１１の中空部１６に突出する複数の圧接部材２２を備えている。本実施形態において、圧接部材２２は、図２に示すように、舌状突出片２０に対応して嵌合部材２１の周方向において等間隔で４箇所に備えられている。
【００３３】
圧接部材２２は、嵌合部材２１から採血管ホルダー本体１１の中空部１６の中心軸側に突出する腕状部２３と、腕状部２３の先端部から採血管ホルダー本体１１の内周面側に屈曲する屈曲部２４とを備え、嵌合部材２１と腕状部２３とを接続する第１の補強片２５と、腕状部２３と屈曲部２４とを接続する第２の補強片２６とを備えている。また、圧接部材２２は、屈曲部２４の嵌合部材２１の内周側を向く面（内側面）に、係止部２７を備えている。
【００３４】
より詳細には、腕状部２３は、嵌合部材２１の先端側（底部１３側）の端部の４箇所に設けられた台形板状の台形状部２１ａの先端から突出するにつれて漸次中心軸に近接するように傾斜して設けられた帯板状の部材である。また、屈曲部２４は、腕状部２３の先端から突出するにつれて漸次中心軸から離隔するように傾斜して設けられた帯板状の部材である。
【００３５】
腕状部２３及び屈曲部２４は、横断面が円弧状に形成され、内側面が中心軸を中心とする円周に沿った凹面となっている。また、腕状部２３及び屈曲部２４の内側面における幅方向両端の角部には、適宜の丸みが設けられている。さらに、屈曲部２４の外側面の先端側には、先端に向けて漸次厚みが減少する傾斜面２４ａが設けられると共に、この傾斜面２４ａの先端の角部には、適宜の丸みが設けられている。
【００３６】
第１の補強片２５は、台形状部２１ａと腕状部２３の間の曲折した部分の谷側となる内側面において台形状部２１ａと腕状部２３に跨って設けられた幅広のリブ状の部材である。同様に、第２の補強片２６は、腕状部２３と屈曲部２４の間の曲折した部分の谷側となる外側面において腕状部２３と屈曲部２４に跨って設けられた幅広のリブ状の部材である。また、係止部２７は、屈曲部２４の基端側の内側面から突出する蒲鉾形状の突起である。
【００３７】
嵌合部材２１の外周面には、周方向の２箇所において軸方向に連続する（延在する）リブ状の位置決め突起２１ｂと、周方向に連続するリング状の抜け止め突起２１ｃが設けられている。位置決め突起２１ｃは、採血管ホルダー本体１１の内周面に設けられた凹部と係合し、採血管ホルダー本体１１に対して保持部材１２を周方向に位置決めするためのものである。また、抜け止め突起２１ｃは、採血管ホルダー本体１１の内周面に設けられた凹部と係合し、採血管ホルダー本体１１に対して保持部材１２を軸方向に位置決めすると共に、採血管ホルダー本体１１から保持部材１２が脱落するのを防止するためのものである。
【００３８】
なお、本実施形態では、保持部材１２は、合成樹脂（ポリプロピレン）から構成されている。また、位置決め突起２１ｂの個数は、特に限定されるものではなく、１箇所にのみ設けるようにしてもよいし、３箇所以上に設けるようにしてもよい。
【００３９】
次に、本実施形態の採血管ホルダー１の作用について説明する。
【００４０】
本実施形態の採血管ホルダー１では、針基１５のオスコネクタ１５ａがメスコネクタ５３に嵌合されることにより採血具５と接続された状態で、例えば、図３に示すように、採血管ホルダー本体１１に内嵌された保持部材１２の内周側に、真空採血管３ａを挿入する。ここで、真空採血管３ａは、オーバーキャップタイプであり、ガラス、硬質プラスチック等からなる中空有底筒状体からなる採血管本体３１と、採血管本体３１の開口端部を閉塞するゴムキャップ３２と、採血管本体３１及びゴムキャップ３２を保護する中空有底筒状体からなる合成樹脂製の外筒管（オーバーキャップ）３３とからなる。外筒管３３はゴムキャップ３２に外嵌される一方、底部にゴムキャップ３２の一部を露出する開口部を備えている。
【００４１】
保持部材１２の内周側に、真空採血管３ａを挿入すると、嵌合部材２１から採血管ホルダー本体１１の中空部１６に突出する圧接部材２２が真空採血管３ａに押圧されて、図３に仮想線示する状態から採血管ホルダー本体１１の内周面側に揺動変形する。このとき、圧接部材２２の腕状部２３と屈曲部２４とは、真空採血管３ａによる押圧の結果断面視略直線状となっており、それ自体の弾性力により原状（図３に仮想線示する状態）に復帰しようとし、真空採血管３ａの外周面に圧接される。
【００４２】
一方、保持部材１２の内周側に、真空採血管３ａを挿入すると、ゴムキャップ３２がゴムスリーブ１８に当接され、さらにゴムスリーブ１８を針基１５側に向けて押圧する。この結果、針管１７がゴムスリーブ１８及びゴムキャップ３２を貫通して、真空採血管３ａ内に挿入される一方、ゴムスリーブ１８は圧縮され、ゴムキャップ３２と針基１５との間で蛇腹状に折り畳まれた状態になる。
【００４３】
針管１７が真空採血管３ａ内に挿入されると、針管１７は針基１５の中空部１９及び可撓性チューブ５２を介して採血針管５１に連通されているので、採血具５の採血針管５１により採血される血液試料が可撓性チューブ５２及び針管１７を介して真空採血管３ａ内に導入される。
【００４４】
このとき、前述のように圧縮され、ゴムキャップ３２と針基１５との間で蛇腹状に折り畳まれた状態となっているゴムスリーブ１８は、それ自体の弾性力により原状に復帰しようとして真空採血管３ａを開口側（嵌合部材２１側）に向けて押圧するので、圧接部材２２の圧接により保持されている真空採血管３ａが採血管ホルダー本体１１から脱落することが懸念される。
【００４５】
しかし、本実施形態の採血管ホルダー１では、前述のように真空採血管３ａによる押圧の結果、圧接部材２２の腕状部２３と屈曲部２４とが断面視略直線状となっており、屈曲部２４の先端が舌状突出片２０に接触することにより、舌状突出片２０を採血管ホルダー本体１１の内周面側に揺動変形させる。舌状突出片２０は、前記のように揺動されるとそれ自体の弾性力により原状に復帰しようとし、屈曲部２４の先端を前記採血管の外周面側に向けて押圧する。
【００４６】
この結果、圧接部材２２は、それ自体の弾性力に加えて、舌状突出片２０の押圧力により真空採血管３ａの外周面に対する圧接が補助されることとなり、より強い力で真空採血管３ａを保持することができる。従って、真空採血管３ａが圧縮されたゴムスリーブ１８により開口側に向けて押圧されたときにも、採血管ホルダー本体１１から真空採血管３ａが脱落することを防止することができる。
【００４７】
本実施形態の採血管ホルダー１では、真空採血管３ａに所定量の血液試料が貯留されたならば、真空採血管３ａを抜去する。このとき、ゴムスリーブ１８は真空採血管３ａの抜去に伴って原状に復帰し、針管１７をその全長に亘って被覆するので、血液試料が針管１７から外部に漏出することを防止することができる。
【００４８】
また、本実施形態の採血管ホルダー１では、針基１５のオスコネクタ１５ａがメスコネクタ５３に嵌合されることにより採血具５と接続された状態で、例えば、図４に示すように、採血管ホルダー本体１１に内嵌された保持部材１２の内周側に、真空採血管３ｂを挿入するようにしてもよい。ここで、真空採血管３ｂは、ゴム栓キャップタイプであり、ガラス、硬質プラスチック等からなる中空有底筒状体からなる採血管本体３１と、採血管本体３１の開口端部を閉塞するゴムキャップ３２とを備えている。
【００４９】
本実施形態の採血管ホルダー１は、ゴム栓キャップタイプの真空採血管３ｂに対しても、オーバーキャップタイプの真空採血管３ａの場合と同様にして、真空採血管３ｂが圧縮されたゴムスリーブ１８により後方に押圧されたときにも、採血管ホルダー本体１１から真空採血管３ｂが脱落することを防止することができる。
【００５０】
さらに、本実施形態の採血管ホルダー１では、針基１５のオスコネクタ１５ａがメスコネクタ５３に嵌合されることにより採血具５と接続された状態で、例えば、図５に示すように、採血管ホルダー本体１１に内嵌された保持部材１２の内周側に、真空採血管３ｃを挿入するようにしてもよい。ここで、真空採血管３ｃは、シールタイプであり、ガラス、硬質プラスチック等からなる中空有底筒状体からなる採血管本体３１と、採血管本体３１の開口端部を閉塞するシール部材３４とを備えている。シール部材３４は例えばアルミフィルムからなるシートの中央部にゴム製の弁体３５を備えて構成されている。また、採血管本体３１は開口端部から外方に延出するフランジ状のフランジ状部３６を備えている。なお、フランジ状部３６は、採血管本体３１に固定された別部材から構成される場合もある。
【００５１】
本実施形態の採血管ホルダー１は、シールタイプの真空採血管３ｃに対しても、オーバーキャップタイプの真空採血管３ａ及びゴム栓キャップタイプの真空採血管３ｂの場合と同様にして、真空採血管３ｃが圧縮されたゴムスリーブ１８により後方に押圧されたときにも、採血管ホルダー本体１１から真空採血管３ｃが脱落することを防止することができる。また、シールタイプの真空採血管３ｃはフランジ状部３６を備えるので、フランジ状部３６を屈曲部２４の係止部２７に係止することができ、さらに確実に採血管ホルダー本体１１から真空採血管３ｃが脱落することを防止することができる。
【００５２】
本実施形態では、採血管ホルダー本体１１に舌状突出片２０を設けることで、保持部材１２全体の厚みやサイズを大きくすることなく適切な保持力を発生させることを可能としている。この結果、真空採血管３ａ，３ｂ，３ｃの脱落を確実に防止しながらも、採血管ホルダー本体１１をコンパクトに構成することが可能となるため、真空採血管３ａの挿抜性及び採血管ホルダー本体１１の把持性が阻害されないようになっている。
【００５３】
また、本実施形態では、屈曲部２４は真空採血管３ａ，３ｂ，３ｃの挿入がある程度進んだ後に舌状突出片２０と接触し、それ以前は挿入抵抗となる弾性力が保持部材１２の弾性力のみとなっているため、真空採血管３ａ，３ｂ，３ｃの脱落を確実に防止しながらも、真空採血管３ａ，３ｂ，３ｃを容易に挿入することが可能となっている。
【００５４】
さらに、本実施形態では、真空採血管３ａ，３ｂ，３ｃの挿入によって押し開かれるように変形する曲折部分に第１の補強片２５及び第２の補強片２６を設けることで、適切な保持力を発生させながらも、保持部材１２をよりコンパクトに構成することが可能となっている。また、保持部材１２に係止部２７を設けることで、フランジ状部３６以外の部分が比較的小径であることから採血管ホルダー本体１１に対して傾きやすいシールタイプの真空採血管３ｃであっても、安定的に保持して脱落を防止することが可能となっている。
【００５５】
また、本実施形態では、屈曲部２４の外側面の先端側に傾斜面２４ａを設けると共に、この傾斜面２４ａの先端に丸みを設けることで、舌状突出片２０との接触、並びに接触後の保持部材１２及び舌状突出片２０の変形がスムーズに行われるようにしている。また、腕状部２３及び屈曲部２４の内側面の幅方向両端に丸みを設けることで、真空採血管３ａ，３ｂ，３ｃの外周面に貼付されたラベル等が腕状部２３又は屈曲部２４に引っ掛かって剥がれたり破損したりするのを防止している。
【００５６】
なお、舌状突出片２０は、真空採血管３ａ，３ｂ，３ｃの挿入によって揺動変形した場合に先端部が採血管ホルダー本体１１の内周面に接触するように構成されるものであってもよいし、接触しないように構成されるものであってもよい。同様に、圧接部材２２は、真空採血管３ａ，３ｂ，３ｃの挿入によって揺動変形した場合にいずれかの部分が採血管ホルダー本体１１の内周面に接触するように構成されるものであってもよいし、接触しないように構成されるものであってもよい。
【００５７】
また、採血管ホルダー１は、採血管ホルダー本体１１の内周面に、長さ方向（軸方向）に延在して真空採血管３ａ，３ｂ，３ｃの外周面に当接する例えばリブ状の当接部（図示せず）を備えていてもよい。また、採血管ホルダー１は、採血管ホルダー本体１１の内周面に、長さ方向に延在して揺動変形された圧接部材２２を収容する（干渉を避ける）例えば溝状の凹部（図示せず）を備えていてもよい。
【００５８】
このような当接部を備えることで、真空採血管３ａ，３ｂ，３ｃが採血管ホルダー本体１１に対して傾くのを防止し、針管１７を真空採血管３ａ，３ｂ，３ｃに適切に貫通させると共に、真空採血管３ａ，３ｂ，３ｃを安定的に保持することが可能となる。また、このような凹部を備えることで、保持部材１２を設けることによる真空採血管３ａ，３ｂ，３ｃの確実な保持を可能としながらも、採血管ホルダー本体１１の外径を小さくして把持性を及び操作性を向上させることができる。なお、このような凹部を設ける場合においても、揺動変形された舌状突出片２０又は圧接部材２２を凹部の底面に接触させるようにしてもよいし、接触させないようにしてもよい。
【００５９】
また、圧接部材２２及び舌状突出片２０の個数は、特に限定されるものではなく、任意の個数を採用することができる。また、舌状突出片２０は、採血管ホルダー本体１１の内周面から突出するものであってもよいし、採血管ホルダー本体１１に固定される別部材から構成されるものであってもよい。また、舌状突出片２０によって十分な保持力が得られるような場合には、保持部材１２において、第１の補強片２５、第２の補強片２６、又は係止部２７を省略するようにしてもよい。
【００６０】
また、針基１５は、突出部１４と一体的に構成されるものであってもよい。また、オスコネクタ１５ａは、針基１５とは別個に突出部１４に設けられるものであってもよい。また、オスコネクタ１５ａは、雌ネジが設けられたロック部材を備えるものであってもよい。また、オスコネクタ１５ａに代えて、血管に穿刺される採血針管を針基１５に設けるようにしてもよい。
【００６１】
また、採血キット２において、採血具５は、翼状針以外のものであってもよく、可撓性チューブ５２を介さずに採血管ホルダー本体１１に接続されるものであってもよい。また、採血具５は、可撓性チューブ５２を備えず、適宜のコネクタを備えるエクステンションチューブを介して採血管ホルダー本体１１に接続されるものであってもよい。
【００６２】
また、採血管ホルダー本体１１における針管１７及びゴムスリーブ１８以外の部分の材質は、ポリプロピレン以外にも、例えばポリカーボネート、ポリスチレン、アクリルニトリルブタジエンスチレン（ＡＢＳ樹脂）、ポリエチレンテレフタレート、ポリ塩化ビニル、又はポリメタクリル酸メチル樹脂（アクリル樹脂）等を採用することが可能であり、保持部材１２についても同様である。また、ゴムスリーブ１８の材質は、イソプレンゴム以外にも、例えばシリコーンゴム、ブタジエンゴム、ブチルゴム、天然ゴム、ウレタンゴム、又はフッ素ゴム等を採用することができる。
【００６３】
次に、採血管ホルダー１及び採血キット２の他の構成例について説明する。なお、以下の説明においては、図１〜５に示す構成と同一の構成には同一の符号を付すと共に詳細な説明を省略する。
【００６４】
図６は、真空採血管３ｃのフランジ状部３６の外周面に当接する第１の当接部１１ｄ及び第２の当接部１１ｅを採血管ホルダー本体１１の内周面に設けると共に、圧接部材２２に設けた係止部２７に代えて第２の当接部１１ｅに係止部１１ｆを設けた場合の一例を示している。図６に示すように、この例の採血管ホルダー１は、図１に示す例と同様に、採血具５を備える採血キット２の構成の一部である。
【００６５】
図７は、図６に示す例における採血管ホルダー本体１１の説明的断面図である。なお、図７では、針基１５、針管１７及びゴムスリーブ１８の記載を省略している。図７に示すように、第１の当接部１１ｄ及び第２の当接部１１ｅは、採血管ホルダー本体１１の内周面において中心軸側に向けて突出すると共に、底部１３から開口側に向けて軸方向に連続する（延在する）リブ状に構成されている。また、第１の当接部１１ｄ及び第２の当接部１１ｅは、採血管ホルダー本体１１の周方向における４箇所に配置されると共に、周方向において交互に配置されている。
【００６６】
第１の当接部１１ｄは、底部１３側が突出量の大きい段付き形状に構成され、中間部分に段差部１１ｄ１が設けられている。また、第１の当接部１１ｄの開口側の端部には、開口側に向けて漸次突出量が減少して内周面に繋がる傾斜部１１ｄ２が設けられている。同様に、第２の当接部１１ｅは、底部１３側が突出量の大きい段付き形状に構成され、中間部分に段差部１１ｅ１が設けられている。そして、第２の当接部１１ｅの開口側の端部には、真空採血管３ｃのフランジ状部３６に係止する係止部１１ｆが設けられている。
【００６７】
第１の当接部１１ｄ及び第２の当接部１１ｅの軸方向の長さは、特に限定されるものではないが、この例では、採血管ホルダー本体１１の中空部１６の軸方向の長さの凡そ１／３に設定している。
【００６８】
また、この例では、真空採血管３ａ，３ｂの先端面に当接することで真空採血管３ａ，３ｂを軸方向に位置決めする第３当接部１１ｇを、底部１３の内側面の４箇所に設けている。この第３当接部１１ｇは、開口側に向けて突出し、開口側から見た場合に中空部１６の中心軸を中心とする４つの円弧状の突起から構成されている。このような第３当接部１１ｇを設けることで、真空採血管３ａ，３ｂを軸方向の適切な位置に配置する共に、針管１７の貫通後の真空採血管の３ａ，３ｂの傾きを抑制することができる。
【００６９】
さらに、この例では、保持部材１２の嵌合部材２１の台形状部２１ａ以外の部分を収容する第１の凹部１１ｈと、嵌合部材２１の台形状部２１ａを収容すると共に、揺動した圧接部材２２及び舌状突出片２０の少なくとも一部を収容する（干渉を避ける）ための第２の凹部１１ｉとを採血管ホルダー本体１１の内周面に設けている。上述のように、このような第１の凹部１１ｈ及び第２の凹部１１ｉを設けることで、採血管ホルダー本体１１の外径を小径化して把持性及び操作性を向上させることができる。また、第１の凹部１１ｈ又は第２の凹部１１ｉを設けることで、保持部材１２の厚みや形状の設計の自由度が高くなるため、圧接部材２２の弾性力を従来よりも大きくし、十分な保持力を発生させることができる。
【００７０】
第１の凹部１１ｈは、採血管ホルダー本体１１の内周面の開口側端部において周方向に連続する（延在する）溝状に構成されている。そして、第１の凹部１１ｈの底面には、保持部材１２の位置決め突起２１ｃを収容する位置決め凹部１１ｈ１と、保持部材１２の抜け止め突起２１ｃを収容する抜け止め凹部１１ｈ２とが、それぞれ対応する位置に設けられている。
【００７１】
第２の凹部１１ｉは、採血管ホルダー本体１１の内周面の圧接部材２２に対応する位置において第１の凹部１１ｈから底部１３側に向けて軸方向に延在する溝状に構成されている。第２の凹部１１ｉをこのように構成することで、真空採血管３ａ，３ｂ，３ｃの挿入に伴う揺動の際に大きなモーメントが加わる腕状部２３およびこれを支持する嵌合部材２１の設計の自由度がより高まるため、圧接部材２２の弾性力をより大きくして真空採血管３ａ，３ｂ，３ｃの脱落をより確実に防止することができる。また、第２の凹部１１ｉの底面の底部１３側には、舌状突出片２０に対応して深さを増加させた追加凹部１１ｉ１が設けられている。
【００７２】
第１の凹部１１ｈ及び第２の凹部１１ｉの深さは、特に限定されるものではないが、採血管ホルダー本体１１の内周面と嵌合部材２１の内周面との間に生じる段差が小さい方が好ましく、内周面と嵌合部材２１の内周面が面一となる深さであることがより好ましい。
【００７３】
採血管ホルダー本体１１の内周面と嵌合部材２１の内周面を面一にすることで、真空採血管３ａ，３ｂ，３ｃの挿抜時にこれらの外周面に貼付されたラベルやシールタイプの真空採血管３ｃのシール部材３４が段差に引っ掛かって剥がれたり破損したりするのを防止することができる。
【００７４】
なお、第１の凹部１１ｈ及び第２の凹部１１ｉのいずれか一方のみを設けるようにしてもよい。また、第１の凹部１１ｈとして、位置決め凹部１１ｈ１及び抜け止め凹部１１ｈ２のみを設けるようにしてもよい。また、第２の凹部１１ｉにおいて、追加凹部１１ｉ１を省略するようにしてもよい。
【００７５】
この例ではまた、舌状突出片２０の内側面の突端側に突端に向けて漸次厚みが減少する傾斜面２０ａを設けると共に、この傾斜面２０ａの先端の角部に適宜の丸みを設けることで、保持部材１２との接触、並びに接触後の保持部材１２及び舌状突出片２０の変形がよりスムーズに行われるようにしている。
【００７６】
また、採血管ホルダー本体１１の突出部１４には、針基１５の雄ネジと螺合する２条の雌ネジ１４ａが設けられているが、この例では２つのネジ山を互いに軸方向において重ならないように設けることで、樹脂成形の金型の構造を簡素化することを可能としている。
【００７７】
図８は、図６に示す例における保持部材１２の外観図である。上述のように、この例では、係止部２７は省略されている。また、この例では、位置決め突起２１ｂを周方向の４箇所に設けることで、採血管ホルダー本体１１への保持部材１２の組付けを容易にしている。さらに、この例では、第２の補強片２６によって適切な保持力を維持しつつ、第１の補強片２５を省略することで、真空採血管３ａ，３ｂ，３ｃの挿入開始時の挿入抵抗を軽減するようにしている。
【００７８】
このように、第１の補強片２５及び第２の補強片２６は、いずれか一方のみが設けられるものであってもよく、このようにすることで、保持部材１２による保持力を適宜に調整することができる。なお、圧接部材２２毎に第１の補強片２５及び第２の補強片２６の設け方を異ならせるようにしてもよいし、第１の補強片２５及び第２の補強片２６を共に省略するようにしてもよい。
【００７９】
図９Ａは第１の当接部１１ｄを拡大して示す説明的断面図であり、図９Ｂは第２の当接部１１ｅを拡大して示す説明的断面図である。図９Ａに仮想線示するように、真空採血管３ｃは、フランジ状部３６の先端面が段差部１１ｄ１に当接することで軸方向に位置決めされる。また、フランジ状部３６の外周面が開口側の低い方の頂面１１ｄ３に当接することで、真空採血管３ｃは半径方向に位置決めされると共に採血管ホルダー本体１１に対する傾きが防止される。また、真空採血管３ｃは、挿入時に傾いていた場合にも傾斜部１１ｄ２によってフランジ状部３６の外周面が頂面１１ｄ３に当接する状態に誘導されるようになっている。
【００８０】
図９Ｂに仮想線示するように、真空採血管３ｃは、第２の当接部１１ｅにおいても同様に、フランジ状部３６の先端面が段差部１１ｅ１に当接することで軸方向に位置決めされ、フランジ状部３６の外周面が開口側の低い方の頂面１１ｅ３に当接することで、半径方向の位置決め及び採血管ホルダー本体１１に対する傾き防止がなされる。そして、係止部１１ｆがフランジ状部３６に係止することによって、真空採血管３ｃの脱落が防止される。
【００８１】
この例では、係止部１１ｆを、頂面１１ｅ３からさらに突出するように設けている。また、係止部１１ｆを、中心軸と略平行となるように頂部に設けられた平行面１１ｆ１と、平行面１１ｆ１の開口側において開口側に向けて漸次突出量が減少する開口側傾斜面１１ｆ２と、平行面１１ｆ１の底部１３側において底部１３側に向けて漸次突出量が減少する底部側傾斜面１１ｆ３とを有する台形状に構成している。なお、開口側傾斜面１１ｆ２は、内周面と繋がるように設けられており、第１の当接部１１ｄの傾斜部１１ｄ２と同様の機能を奏する。
【００８２】
真空採血管３ｃの挿入時には、採血管ホルダー本体１１及びフランジ状部３６を弾性変形させることによって、フランジ状部３６に係止部１１ｆを乗り越えさせる必要がある。従って、挿入抵抗は、フランジ状部３６の先端側（底部１３側）の角部３６ａが開口側傾斜面１１ｆ２に当接している際に増加し、フランジ状部３６の基端側（開口側）の角部３６ｂが底部側傾斜面１１ｆ３に当接している際に減少することとなる。そして、使用者は、この挿入抵抗の増加からの減少をクリック感として感じることで、真空採血管３ｃが適切な位置に配置されたことを指先の感覚だけで把握することができる。
【００８３】
この例では、開口側傾斜面１１ｆ２と底部側傾斜面１１ｆ３の間に平行面１１ｆ１を設けることで、このクリック感を適切に生じさせるようにしている。具体的には、平行面１１ｆ１を設けなかった場合、フランジ状部３６の先端側の角部３６ａが開口側傾斜面１１ｆ２を越えた後、フランジ状部３６は４つの係止部１１ｆの開口側傾斜面１１ｆ２と底部側傾斜面１１ｆ３の間の角部に挟持されることとなり、真空採血管３ｃは採血管ホルダー本体１１に対して傾きやすい状態となる。真空採血管３ｃが採血管ホルダー本体１１に対して傾いていると、フランジ状部３６の基端側の角部３６ｂが４つの係止部１１ｆ毎に異なるタイミングで底部側傾斜面１１ｆ３と当接する場合があり、クリック感が連続的に生じる結果、真空採血管３ｃの適切な配置を使用者が把握し難い可能性がある。
【００８４】
これに対し、開口側傾斜面１１ｆ２と底部側傾斜面１１ｆ３の間に平行面１１ｆ１を設けることで、フランジ状部３６の先端側の角部３６ａが開口側傾斜面１１ｆ２を越えた後の真空採血管３ｃの傾きを防止することが可能となるため、フランジ状部３６の基端側の角部３６ｂを略同じタイミングで４つの係止部１１ｆの底部側傾斜面１１ｆ３と当接させて、適切なクリック感を生じさせることができる。
【００８５】
この例ではさらに、段差部１１ｅ１と底部側傾斜面１１ｆ３の底部１３側の端（頂面１１ｅ３との境界）の間の距離Ｄ１をフランジ状部３６の軸方向寸法Ｄ２よりも小さく設定する（換言すれば、段差部１１ｅ１から距離Ｄ２だけ離れた位置において頂面１１ｅ３よりも突出するように底部側傾斜面１１ｆ３を設ける）ことで、底部側傾斜面１１ｆ３の中心軸に対する傾斜角度θを約５°と小さく設定することを可能としている。距離Ｄ１をフランジ状部３６の軸方向寸法Ｄ２よりも小さく設定することで、フランジ状部３６を段差部１１ｅ１と底部側傾斜面１１ｆ３の間に挟持してフランジ状部３６に対する底部側傾斜面１１ｆ３の押圧力を高めることが可能となるため、傾斜角度θを小さく設定した場合にも確実に真空採血管３ｃの脱落を防止することができる。
【００８６】
そして、傾斜角度θを小さく設定することで、真空採血管３ｃの採血管ホルダー１からの抜去時の抵抗を軽減することができる。すなわち、この例の係止部１１ｆによれば、真空採血管３ｃの脱落の防止と抜去の容易性を両立させることができる。
【００８７】
なお、係止部１１ｆの形状は、このような台形状に限定されるものではなく、ピラミッド状、ドーム状又は角柱状等、その他の適宜の形状であってもよい。また、例えばクリック感を重要視しない場合には、平行面１１ｆ１を有さない形状に係止部１１ｆを構成してもよい。また、開口側傾斜面１１ｆ２及び底部側傾斜面１１ｆ３は、曲面から構成されるものであってもよい。また、開口側傾斜面１１ｆ２及び底部側傾斜面１１ｆ３の傾斜角度が特に限定されないことは、言うまでもない。
【００８８】
このように、採血管ホルダー本体１１の内周面に第１の当接部１１ｄ及び第２の当接部１１ｅを設け、第２の当接部１１ｅに係止部１１ｆを設けた場合にも、シールタイプの真空採血管３ｃを安定的に保持して脱落を防止することができる。また、この場合においても、オーバーキャップタイプの真空採血管３ａ及びゴム栓キャップタイプの真空採血管３ｂを、図１に示す例と同様に保持して脱落を防止可能であることは言うまでもない。
【００８９】
なお、第１の当接部１１ｄ及び第２の当接部１１ｅの個数は、特に限定されるものではなく、任意の個数を採用することができる。また、採血管ホルダー本体１１の内周面に第２の当接部１１ｅのみを設けるようにしてもよいし、採血管ホルダー本体１１の内周面に第１の当接部１１ｄのみを設け、圧接部材２２に係止部２７を設けるようにしてもよい。また、第１の当接部１１ｄ及び第２の当接部１１ｅを、高い方の頂面１１ｄ４、１１ｅ４が真空採血管３ａ，３ｂの外周面に当接するように構成してもよい。また、係止部１１ｆは、採血管ホルダー本体１１の内周面において第２の当接部１１ｅとは別個に設けられるものであってもよい。
【００９０】
図１０は、図６に示す例において舌状突出片２０を省略した場合の一例を示した図である。この例では、舌状突出片２０と共に第２の凹部１１ｉの追加凹部１１ｉ１を省略している。そして、第２の補強片２６の寸法及び形状を適宜に調整すると共に、真空採血管３ａ，３ｂ，３ｃの挿入によって圧接部材２２が揺動変形した場合に屈曲部２４の先端部を第２の凹部１１ｉの底面に接触させることで十分な保持力が得られるようにしている。このように、保持部材１２のみによって十分な保持力が得られるような場合には、舌状突出片２０を省略するようにしてもよい。
【００９１】
なお、屈曲部２４の先端部を第２の凹部１１ｉの底面に接触させるのではなく、圧接部材２２に第１の補強片２５を追加することで、十分な保持力が得られるようにしてもよい。また、屈曲部２４の先端部が採血管ホルダー本体１１の内周面における第２の凹部１１ｉ以外の部分に接触するように、第２の凹部１１ｉを構成するようにしてもよい。また、係止部１１ｆは、採血管ホルダー本体１１の内周面において第２の当接部１１ｅとは別個に設けられるものであってもよいし、圧接部材２２に設けられるものであってもよい。また、図示は省略するが、図１に示す例において舌状突出片２０を省略するようにしてもよい。
【００９２】
図１１は、オスコネクタ１５ａに代えてメスコネクタ１５ｂを針基１５の先端部に設けた場合の一例を示している。図１１に示すように、採血に用いられるシリンジ６は、一般に採血針管の針基（図示せず）を接続するためのオスコネクタ６１を先端にそなえているため、このように、針基１５にメスコネクタ１５ｂを設けることで、シリンジ６のオスコネクタ６１を採血管ホルダー１に直接接続することが可能となる。
【００９３】
従って、図１１に示す採血管ホルダー１によれば、シリンジ６で採血した血液試料を安全に真空採血管３ａ，３ｂ，３ｃに分注することができる。シリンジ６に接続した採血針管を真空採血管３ａ，３ｂ，３ｃに貫通させて分注する場合、シリンジ６に接続した採血針管が使用者の手指等に誤って刺さる危険性があるが、図１１に示す採血管ホルダー１を使用することでこのような針刺しリスクを低減することができる。
【００９４】
なお、メスコネクタ１５ｂは、針基１５とは別個に突出部１４に設けられるものであってもよい。また、図１１に示す例では、メスコネクタ１５ｂの外周に雄ネジ１５ｂ１が設けられているが、雄ネジ１５ｂ１を省略するようにしてもよい。また、図１に示す採血管ホルダー１及び図６に示す採血管ホルダー１のいずれにメスコネクタ１５ｂを設けるようにしてもよいことは言うまでもない。
【００９５】
図１２は、採血具５に代えて接続具７を採血キット２に備えるようにした場合の一例を示している。この例の接続具７は、所定の長さの可撓性チューブ７１と、可撓性チューブ７１の一端に設けられたメスコネクタ７２（本発明のホルダー側コネクタ）と、他端に設けられたメスコネクタ７３（本発明のシリンジ側コネクタ）とを備えている。
【００９６】
図１２に示す採血キット２によれば、メスコネクタ７２を採血管ホルダー１のオスコネクタ１５ａに接続し、メスコネクタ７３をシリンジ６のオスコネクタ６１に接続することで、接続具７を介してシリンジ６を採血管ホルダー１に接続することが可能であるため、図１１に示す採血管ホルダー１と同様に、シリンジ６で採血した血液試料を安全に真空採血管３ａ，３ｂ，３ｃに分注することができる。また、図１２に示す採血キット２によれば、接続具７によって採血管ホルダー１とシリンジ６の相対位置の自由度が増すため、より容易且つ安全に分注を行うことができる。
【００９７】
なお、可撓性チューブ７１の長さは、特に限定されるものではないが、１０〜３００ｍｍであることが好ましい。また、接続具７は、可撓性チューブ７１に代えて硬質のチューブ又はパイプ等を備えるものであってもよく、両端にメスコネクタ７２，７３が設けられた１つの部材から構成されるものであってもよい。
【００９８】
また、図１に示す採血管ホルダー１及び図６に示す採血管ホルダー１のいずれと接続具７から図１２に示す採血キット２を構成してもよいことは言うまでもない。また、採血キット２は、図１１に示すメスコネクタ１５ｂを備える採血管ホルダー１と、可撓性チューブ７１の一端にメスコネクタ１５ｂに接続可能なオスコネクタが設けられ、他端にメスコネクタ７３が設けられた接続具７とを備えるものであってもよい。
【００９９】
以上、本発明の実施の形態について説明したが、本発明の採血管ホルダー及び採血キットは、上述した実施の形態に限定されるものではなく、本発明の要旨を逸脱しない範囲内において種々変更を加え得ることは勿論である。
【０１００】
例えば、採血管ホルダー１、採血具５及び接続具７の各部の形状及び配置は、上記実施形態で示した形状及び配置に限定されるものではなく、適宜の形状及び配置を採用することができる。また、採血管ホルダー１、採血具５及び接続具７の各部を構成する材質は、特に限定されるものではなく、適宜の材質を採用することができる。
【０１０１】
また、上述の実施形態において示した作用及び効果は、本発明から生じる最も好適な作用及び効果を列挙したものに過ぎず、本発明による作用及び効果は、これらに限定されるものではない。
【符号の説明】
【０１０２】
１…採血管ホルダー、  ２…採血キット、  ３ａ，３ｂ，３ｃ…真空採血管、  ５…採血具、  ６…シリンジ、  ７…接続具、  １１…採血管ホルダー本体、  １１ｄ…第１の当接部、  １１ｅ…第２の当接部、  １１ｆ，２７…係止部、  １１ｈ…第１の凹部、  １１ｉ…第２の凹部、  １２…保持部材、  １３…底部、  １５…針基、  １５ｂ，５３，７２…メスコネクタ、  １６…中空部、  １７…針管、  １８…ゴムスリーブ、  ２０…舌状突出片、  ２１…嵌合部材、  ２２…圧接部材、  ２３…腕状部、  ２４屈曲部、  ２５…第１の補強片、  ２６…第２の補強片、  ３６…フランジ状部、  ５１…採血針管。
【図１】
2020203071.tif 000003
【図２】
2020203071.tif 000004
【図３】
2020203071.tif 000005
【図４】
2020203071.tif 000006
【図５】
2020203071.tif 000007
【図６】
2020203071.tif 000008
【図７】
2020203071.tif 000009
【図８】
2020203071.tif 000010
【図９】
2020203071.tif 000011
【図１０】
2020203071.tif 000012
【図１１】
2020203071.tif 000013
【図１２】
2020203071.tif 000014